(57)【要約】【課題】キャビネットの捩じれによる変形を抑制することができる表示装置を提供する。【解決手段】前側に表示面を有する表示部の周縁部を取り囲むキャビネットを、前記表示部の周縁部に被嵌され、矩形をなす合成樹脂製のキャビネット本体２１、及び該キャビネット本体２１の上部に該上部の長手方向に沿って取付けられ、合成樹脂に比べて熱伝導率の高いアルミニウム合金を押出し成形してなる杆体２２を有する構成とし、杆体２２がキャビネットの剛性を高め、杆体２２から外部に放熱させ易いようにした。【選択図】図３
2007219169.tif 000002
【特許請求の範囲】
【請求項１】
前側に表示面を有する表示部と、該表示部の周縁部を取り囲むキャビネットとを備えた表示装置において、前記キャビネットは、前記表示部に被嵌されるキャビネット本体と、該キャビネット本体の周縁に沿ってキャビネット本体に取付けられる杆体とを有することを特徴とする表示装置。
【請求項２】
前記杆体は前記キャビネット本体より熱伝導率の高い材料により形成されている請求項１記載の表示装置。
【請求項３】
前記杆体は押出し成形されたものである請求項１又は２記載の表示装置。
【請求項４】
前記杆体の後面は、該杆体の長手方向に沿って溝を有し、前記キャビネット本体は前記溝に連通する連通路を有する請求項２又は３記載の表示装置。
【請求項５】
前記キャビネット本体は略四角形をなし、該キャビネット本体の一辺に前記杆体を取付けてある請求項１乃至４のいずれか一つに記載の表示装置。
【請求項６】
前記表示部の後側を覆うカバー体を備え、前記キャビネット本体は、前記カバー体が係止される係止部を前記杆体に臨む箇所に設けてある請求項１乃至５のいずれか一つに記載の表示装置。
【請求項７】
前記係止部は前記キャビネット本体と一体成形してある請求項６記載の表示装置。
【請求項８】
前記係止部は前記キャビネット本体の周方向に離隔して複数個設けてある請求項６又は７記載の表示装置。
【請求項９】
前記カバー体は、前記係止部が係止される被係止部を有する請求項６乃至８のいずれか一つに記載の表示装置。
【請求項１０】
前記杆体の両端を閉塞する蓋体を備える請求項１乃至９のいずれか一つに記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビ等の表示装置は、画像を表示する表示面を前側に有する表示部と、該表示部の周縁部に被嵌して該周縁部を取り囲むキャビネットと、前記表示部の後側を覆うカバー体とを備え、キャビネット及びカバー体の周縁部がボルトにより表示部に取付けられている（例えば特許文献１参照）。また、前記キャビネットは合成樹脂により枠形に成形されている。
【特許文献１】特開２００４−１５１３０５号公報
【発明の開示】
【発明が解決しようとする課題】
【０００３】
ところが、特許文献１のように合成樹脂により枠形に成形されたキャビネットを備える表示装置にあっては、キャビネットを把持して運ぶとき、及びキャビネットを組込むとき、キャビネットが全体的に捩じれて変形し易い。従って、比較的大形の表示装置にあっては、キャビネットを把持して運ぶときの作業性、及びキャビネットを組込むときの作業性が悪く、改善策が要望されていた。
キャビネットの捩じれによる変形を抑制するには、キャビネットの内外縁間を広幅とし、キャビネットの厚さを増加することが考えられる。しかし、このように構成した場合、キャビネットの重量が増加し、把持して運び難くなるし、また、キャビネットの材料費が高くなり、コスト高になる。
【０００４】
本発明は斯かる事情に鑑みてなされたものであり、主たる目的は表示部の周縁部を取り囲むキャビネットを、表示部に被嵌されるキャビネット本体と、該キャビネット本体の周縁に沿ってキャビネット本体に取付けられる杆体とを有する構成とすることにより、キャビネットの捩じれによる変形を抑制することができる表示装置を提供することにある。
【０００５】
また、他の目的はキャビネット本体より熱伝導率の高い材料で杆体を構成することにより、表示部の温度上昇を抑制できる表示装置を提供することにある。
【０００６】
また、他の目的は押出し成形された杆体とすることにより、杆体を備える割にコストを低減できる表示装置を提供することにある。
【０００７】
また、他の目的は杆体の後面に、該杆体の長手方向に沿って溝を設け、該溝に連通する連通路をキャビネット本体に設けることにより、表示部の内側で昇温された空気を連通路から杆体の溝へ流入させて杆体による放熱量を増加することができる表示装置を提供することにある。
【０００８】
また、他の目的はキャビネット本体を略四角形とし、該キャビネット本体の一辺に杆体を取付けることにより、杆体の加工性及びキャビネット本体への取付性を向上できる表示装置を提供することにある。
【０００９】
また、他の目的はキャビネット本体の杆体に臨む箇所に係止部を設けることにより、表示部の後側を覆うカバー体が係止されたときの係止状態を維持することができる表示装置を提供することにある。
【００１０】
また、他の目的は係止部をキャビネット本体と一体成形することにより、キャビネットが係止部を有する表示装置のコストを低減できる表示装置を提供することにある。
【００１１】
また、他の目的は係止部をキャビネット本体の周方向に離隔して複数個設けることにより、カバー体が係止されたときの係止状態をより一層強固に維持することができる表示装置を提供することにある。
【００１２】
また、他の目的は係止部に係止される被係止部をカバー体に設けることにより、杆体を備える割に表示装置の組立て作業性を向上できる表示装置を提供することにある。
【００１３】
また、他の目的は杆体の両端を閉塞する蓋体を設けることにより、杆体の両端からキャビネット内に埃が侵入するのを防ぐことができる表示装置を提供することにある。
【課題を解決するための手段】
【００１４】
本発明に係る表示装置は、前側に表示面を有する表示部と、該表示部の周縁部を取り囲むキャビネットとを備えた表示装置において、前記キャビネットは、前記表示部に被嵌されるキャビネット本体と、該キャビネット本体の周縁に沿ってキャビネット本体に取付けられる杆体とを有することを特徴とする。
【００１５】
この発明にあっては、キャビネット本体の周縁に沿って取付けられた杆体によりキャビネット本体を補強することができる。従って、キャビネットの捩じれによる変形を抑制することができ、キャビネットの剛性を高めることができる。また、杆体はキャビネット本体の周方向の一部に取付けることによりキャビネットを補強することができるため、キャビネットの変形を抑制することができる割に重量の増加を抑制できる。
【００１６】
また、本発明に係る表示装置は、前記杆体は前記キャビネット本体より熱伝導率の高い材料により形成されていることを特徴とする。
【００１７】
この発明にあっては、表示部の内側で発生した熱が表示部の周縁部から外部に放熱されるとき、杆体により放熱量を増加することができ、表示部の温度上昇を抑制できる。
【００１８】
また、本発明に係る表示装置は、前記杆体は押出し成形されたものであることを特徴とする。
【００１９】
この発明にあっては、押出し成形により杆体を簡易に得ることができ、杆体を備える割にコストを低減できる。
【００２０】
また、本発明に係る表示装置は、前記杆体の後面は、該杆体の長手方向に沿って溝を有し、前記キャビネット本体は前記溝に連通する連通路を有することを特徴とする。
【００２１】
この発明にあっては、表示部の内側で発生した熱により昇温され、表示部の周縁部へ流動した空気を連通路から杆体の溝へ流入させることができ、杆体による放熱量を増加することができる。
【００２２】
また、本発明に係る表示装置は、前記キャビネット本体は略四角形をなし、該キャビネット本体の一辺に前記杆体を取付けてあることを特徴とする。
【００２３】
この発明にあっては、杆体を直杆状に形成することができるため、杆体の加工性及びキャビネット本体への取付性を向上でき、コストを低減できる。
【００２４】
また、本発明に係る表示装置は、前記表示部の後側を覆うカバー体を備え、前記キャビネット本体は、前記カバー体が係止される係止部を前記杆体に臨む箇所に設けてあることを特徴とする。
【００２５】
この発明にあっては、杆体が補強した箇所に係止部が設けられているため、表示部の後側を覆うカバー体の係止状態を維持することができる。
【００２６】
また、本発明に係る表示装置は、前記係止部は前記キャビネット本体と一体成形してあることを特徴とする。
【００２７】
この発明にあっては、キャビネット本体が成形されるとき、係止部が一体に成形されるため、係止部を有するキャビネットのコスト、ひいては表示装置のコストを低減できる。
【００２８】
また、本発明に係る表示装置は、前記係止部は前記キャビネット本体の周方向に離隔して複数個設けてあることを特徴とする。
【００２９】
この発明にあっては、杆体が補強した箇所に複数個の係止部が設けられているため、カバー体がキャビネットに係止されたときの係止状態をより一層強固に維持することができる。
【００３０】
また、本発明に係る表示装置は、前記カバー体は、前記係止部に係止される被係止部を有することを特徴とする。
【００３１】
この発明にあっては、被係止部が係止部に係止されることによりカバー体をキャビネットに係止することができるため、杆体を備える割に表示装置の組立て作業性を向上できる。
【００３２】
また、本発明に係る表示装置は、前記杆体の両端を閉塞する蓋体を備えることを特徴とする。
【００３３】
この発明にあっては、押出し成形された杆体の両端を蓋体が閉鎖しているため、杆体の両端からキャビネット内に埃が侵入するのを防ぐことができる。
【発明の効果】
【００３４】
以上詳述したように本発明によれば、杆体によりキャビネット本体を補強し、キャビネットの剛性を高めることができるため、キャビネットの捩じれによる変形を抑制することができる。しかも、杆体はキャビネット本体の周方向の一部に取付けることによりキャビネットを補強することができるため、キャビネットの変形を抑制することができる割に重量の増加を抑制できる。
【００３５】
また、本発明によれば、表示部の内側で発生した熱が表示部の周縁部から外部に放熱されるとき、杆体により放熱量を増加することができ、表示部の温度上昇を抑制できる。
【００３６】
また、本発明によれば、押出し成形により杆体を簡易に得ることができ、杆体を備える割にコストを低減できる。
【００３７】
また、本発明によれば、表示部の内側で発生した熱により昇温され、表示部の周縁部へ流動した空気を連通路から杆体の溝へ流入させることができ、杆体による放熱量を増加することができる。
【００３８】
また、本発明によれば、杆体を直杆状に形成することができるため、杆体の加工性及びキャビネット本体への取付性を向上でき、コストを低減できる。
【００３９】
また、本発明によれば、杆体が補強した箇所に係止部が設けられているため、表示部の後側を覆うカバー体の係止状態を維持することができる。
【００４０】
また、本発明によれば、キャビネット本体が成形されるとき、係止部が一体に成形されるため、係止部を有するキャビネットのコスト、ひいては表示装置のコストを低減できる。
【００４１】
また、本発明によれば、杆体が補強した箇所に複数個の係止部が設けられているため、カバー体がキャビネットに係止されたときの係止状態をより一層強固に維持することができる。
【００４２】
また、本発明によれば、被係止部が係止部に係止されることによりカバー体をキャビネットに係止することができるため、杆体を備える割に表示装置の組立て作業性を向上できる。
【００４３】
また、本発明によれば、押出し成形された杆体の両端を蓋体が閉鎖しているため、杆体の両端からキャビネット内に埃が侵入するのを防ぐことができる。
【発明を実施するための最良の形態】
【００４４】
以下本発明をその実施の形態を示す図面に基づいて詳述する。図１は本発明に係る表示装置の構成を示す正面図、図２は平面図、図３はキャビネットの構成を示す後面図、図４は図３の一部拡大図、図５は図１のV −V 線の拡大断面図、図６は図１のVI−VI線の拡大断面図、図７は図１のVII −VII 線の拡大断面図、図８はキャビネットの構成を示す後面側を拡大した斜視図である。
【００４５】
図示した表示装置はテレビ画像を表示する表示面を前側に有し、略直方体をなす表示部１と、該表示部１の周縁部に被嵌して該周縁部を取り囲み、環状の矩形をなすキャビネット２と、表示部１の後側を覆うカバー体３と、表示部１を起立状態で支持するスタンド４とを備える液晶テレビ、換言すれば液晶表示装置である。
【００４６】
表示部１は、前側に表示面１１ａを有し略直方体をなすパネル１１と、該パネル１１の周縁部を前後で保持した略四角形をなす二つの保持枠体１２，１３と、パネル１１の後側に配置された拡散板等の光学シート１４と、該光学シート１４の後側に配置され複数の発光灯及び反射板１５を有するバックライト部１６と、該バックライト部１６の後側に配置された回路基板及び電源基板等の電気部品１７とを備える。
【００４７】
バックライト部１６は、箱形をなすシャーシ１６ａと、光学シート１４の周縁部をシャーシ１６ａの開口部に押付けて取付ける取付枠体１６ｂとを備え、保持枠体１２，１３をシャーシ１６ａの周縁部に取付けることにより取付枠体１６ｂを保持枠体１３及びシャーシ１６ａの間に挾着してある。
【００４８】
図９はキャビネットの構成を示す後面側の斜視図、図１０は図９の破線枠内の拡大図、図１１はキャビネット本体の要部の構成を示す拡大後面図である。キャビネット２は表示部１の前側周縁部を覆い、矩形をなす枠形のキャビネット本体２１と、該キャビネット本体２１の上部に、該上部の長手方向（周方向）に沿って取付けられた金属製の杆体２２とを有する。
【００４９】
キャビネット本体２１は、前側の保持枠体１２の前面を覆い、上部及び下部が長辺の環板部２１ａと、該環板部２１ａの内外縁間の途中に突設され、保持枠体１２の周縁部を覆う角筒部２１ｂとを有し、合成樹脂により成形されている。環板部２１ａの後面部には周方向へ離隔した複数箇所に第１及び第２の筒形ボス２１ｃ，２１ｄが一体に成形されている。
【００５０】
環板部２１ａの上部には、前側の外縁部が後方へ略Ｌ字形に窪み、杆体２２を収容する収容凹部２１ｅと、該収容凹部２１ｅの外縁から上方へ突設された複数の係止爪２１ｆと、収容凹部２１ｅの外縁の一部が下方へ窪み、杆体２２の後記する溝に連通する連通路２１ｇとが設けられている。
【００５１】
収容凹部２１ｅは環板部２１ａの両側端に亘って設けてあり、収容凹部２１ｅの長手方向に離隔した複数箇所に前後に貫通する貫通孔２１ｈが開設されている。
【００５２】
係止部としての係止爪２１ｆは収容凹部２１ｅの長手方向に離隔した二箇所に一体に成形されている。
【００５３】
杆体２２は合成樹脂に比べて熱伝導率が高いアルミニウム合金を断面略Ｅ字形に押出し成形してなる。杆体２２の前面は前方へ凸に湾曲しており、後面には両端に亘って開口する第１及び第２の溝２２ａ，２２ｂが設けられており、貫通孔２１ｈに挿通されるボルト２３を第１の溝２２ａ内に螺着することにより杆体２２を収容凹部２１ｅに取付けてある。杆体２２の上部は下部より前後長さを長くしてあり、上部の後端部がカバー体３の前縁部を覆うように構成されている。また、第２の溝２２ｂは昇温した空気との接触面積を増加し、昇温した空気の放熱性を高めるものである。尚、アルミニウム合金の熱伝導率は２３６[W/(m・K)] であり、合成樹脂の熱伝導率は約０．１〜０．３[W/(m・K)] である。
【００５４】
杆体２２の両端は蓋体２４，２４により閉塞されている。蓋体２４は杆体２２の両端を閉塞する蓋部２４ａと、該蓋部２４ａの周縁から杆体２２の長手方向へ延出された延出片２４ｂとを有し、該延出片２４ｂに開設された貫通孔にボルト２５を挿通し、該ボルト２５を第１の溝２２ａ内に螺着することにより杆体２２に取付けられている。
【００５５】
カバー体３は電気部品１７等を覆う皿形覆部３１と、該皿形覆部３１の周縁に連なる角筒部３２とを有し、合成樹脂により一体に成形されている。角筒部３２の上部で、係止爪２１ｆに対応する二箇所に、係止爪２１ｆが係止される二つの係止孔３３が設けられている。また、皿形覆部３１の周縁部には第２の筒形ボス２１ｄに対応する挿通孔が開設されており、該挿通孔に挿通するボルトを第２の筒形ボス２１ｄ内に螺着することによりカバー体３をキャビネット２に結合するように構成されている。
【００５６】
スタンド４は載置台等に載置されるベース部４１及び該ベース部４１に立設された二つの脚部４２，４２を有しており、脚部４２，４２の上部が表示部１の後側のシャーシ１６ａに取外しを可能に取着されている。
【００５７】
以上のように構成された表示装置は、表示部１の後側に取着されたスタンド４により、表示部１の起立状態が維持される。この表示部１の起立状態でキャビネット２を表示部１の前側周縁部に嵌込み、バックライト部１６のシャーシ１６ａの周縁部に開設された貫通孔にボルトを挿通し、該ボルトをキャビネット２の第１の筒形ボス２１ｃ内に緊締することによりキャビネット２を表示部１に取付ける。この後、カバー体３をバックライト部１６の後側に嵌込む。この場合、カバー体３の上部には二つの係止孔３３が設けられており、キャビネット２の上部には二つの係止爪２１ｆが設けられているため、係止爪２１ｆを係止孔３３に嵌込むことによりカバー体３をキャビネット２に仮止めすることができる。この仮止め状態で、カバー体３の皿形覆部３１の周縁部に開設された挿通孔に図示しないボルトを挿通し、該ボルトを第２の筒形ボス２１ｄ内に螺着することによりカバー体３をキャビネット２に取外し可能に取付ける。
【００５８】
また、キャビネット２はキャビネット本体２１の上部にアルミニウム合金製の杆体２２を取付けて補強し、剛性を高めてあるため、キャビネット２が把持して運ばれるとき、キャビネット２が捩じれて変形するのを抑制することができる。従って、比較的大形の表示装置であっても、キャビネット２を把持して運ぶときの作業性、及びキャビネット２を組込むときの作業性を向上できる。また、アルミニウム合金製の杆体２２は合成樹脂製のキャビネット本体２１に比べて熱伝導率が高く、放熱性に優れているため、表示部１の内部で発生した熱により温められ、上昇した空気中の熱を杆体２２で吸収し、該杆体２２から外部へ速やかに放熱することができ、表示部１内の昇温を抑制できる。また、表示部１内で上昇した空気中の熱はキャビネット本体２１の連通路２１ｇから杆体２２の第１及び第２の溝２２ａ，２２ｂ内に入り、杆体２２の全体を温めることができ、杆体２２の全体から放熱することができる。また、係止爪２１ｆは離隔して設けられているため、係止状態を維持し易い。
【００５９】
尚、以上説明した実施の形態ではキャビネット２に係止爪２１ｆを設け、該係止爪２１ｆが係合する係止孔３３をカバー体３に設けてある構成について説明したが、その他、係止爪２１ｆ及び係止孔３３をなくし、カバー体３を仮止めすることなく取付ける構成としてもよい。また、係止爪２１ｆ及び係止孔３３を備える場合、実施の形態のようにキャビネット本体２１に係止爪２１ｆを設ける他、該係止爪２１ｆを杆体２２に設ける構成としてもよい。また、係止部を係止爪２１ｆとし、被係止部を係止孔３３としたが、その反対に、係止部を係止孔３３又は係止凹部とし、被係止部を係止爪２１ｆとしてもよく、係止部及び被係止部の構成は特に制限されない。
【００６０】
また、カバー体３をキャビネット２に取付ける構成としたが、その他、カバー体３は表示部１の例えばシャーシ１６ａに取付ける構成としてもよい。
【００６１】
また、杆体２２は合成樹脂に比べて熱伝導率の高いアルミニウム合金により形成したが、その他熱伝導率を考慮することなくキャビネット本体２１より剛性の高い例えば合成樹脂製としてもよく、杆体２２の材料及び形状は特に制限されない。
【００６２】
また、杆体２２は矩形の枠形をなすキャビネット本体２１の上部に設けたが、その他、キャビネット本体２１の下部、一側部、他側部の一つ又は複数に設ける構成としてもよい。
【００６３】
また、本発明に係る表示装置は液晶テレビ等の液晶表示装置である他、プラズマ表示装置、ＥＬディスプレイ等の表示装置であってもよい。
【図面の簡単な説明】
【００６４】
【図１】本発明に係る表示装置の構成を示す正面図である。
【図２】本発明に係る表示装置の構成を示す平面図である。
【図３】本発明に係る表示装置のキャビネットの構成を示す後面図である。
【図４】図３の一部拡大図である。
【図５】図１のV −V 線の拡大断面図である。
【図６】図１のVI−VI線の拡大断面図である。
【図７】図１のVII −VII 線の拡大断面図である。
【図８】本発明に係る表示装置のキャビネットの構成を示す後面側を拡大した斜視図である。
【図９】本発明に係る表示装置のキャビネットの構成を示す後面側の斜視図である。
【図１０】図９の破線枠内の拡大図である。
【図１１】本発明に係る表示装置のキャビネット本体の要部の構成を示す拡大後面図である。
【符号の説明】
【００６５】
１    表示部
１１ａ  表示面
２    キャビネット
２１  キャビネット本体
２１ｆ  係止爪（係止部）
２１ｇ  連通路
２２  杆体
２２ａ，２２ｂ  溝
２４  蓋体
３    カバー体
３３  係止孔（被係止部）
【図１】
2007219169.tif 000003
【図２】
2007219169.tif 000004
【図３】
2007219169.tif 000005
【図４】
2007219169.tif 000006
【図５】
2007219169.tif 000007
【図６】
2007219169.tif 000008
【図７】
2007219169.tif 000009
【図８】
2007219169.tif 000010
【図９】
2007219169.tif 000011
【図１０】
2007219169.tif 000012
【図１１】
2007219169.tif 000013